【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
画像形成装置の装置本体に着脱可能なカートリッジであって、
回転可能な像担持体と、
前記像担持体に接触し、前記像担持体の表面を帯電する帯電ローラと、
前記帯電ローラを清掃する清掃部材と、を備え、
前記清掃部材は、前記帯電ローラの表面に少なくとも一部が当接して当接領域を有するブラシ部を有し、
前記カートリッジが前記装置本体に装着された状態における前記像担持体の回転軸線と略直交する断面において、前記ブラシ部の前記当接領域のうち、前記帯電ローラの回転方向において下流側の端部を第１端部とし、
前記ブラシ部の前記当接領域のうち、前記帯電ローラの回転方向において上流側の端部を第２端部とし、
前記像担持体の接線のうち、前記像担持体上に位置する前記像担持体の接線の接点から前記第１端部に向かう方向と、前記像担持体が回転しているときの前記像担持体の速度ベクトルの方向と、が一致する接線を第１接線とした場合において、
前記第１接線と前記像担持体の表面との接点が、前記像担持体の中心を通る水平線よりも鉛直方向上方にあり、前記第２端部は、前記第１端部よりも鉛直方向上方にあり、
前記帯電ローラの回転軸を原点としたときの鉛直方向をＹ軸方向とし、水平方向をＸ軸方向とする第２象限に、前記ブラシ部の全領域が常に配置されるように構成されることを特徴とするカートリッジ。 
【請求項２】
前記装置本体への挿入時において、
前記帯電ローラの接線のうち、前記帯電ローラと前記当接領域の中央部との接点を通る接線を第２接線とし、
前記第１接線と、前記第２接線と、が交わることで区切られる４つの領域のうち、
前記帯電ローラが含まれる領域を第１領域、第１領域以外の領域を前記帯電ローラの回転方向と同方向に沿って、第２領域、第３領域、第４領域としたとき、前記第１領域もしくは前記第３領域に向かう方向に挿入されることを特徴とする請求項１に記載のカートリッジ。
【請求項３】
前記装置本体に装着された状態における前記帯電ローラの回転軸に垂直な断面において
、前記第１端部が、前記帯電ローラの回転軸中心を通る水平線よりも鉛直方向上方にあることを特徴とする請求項１または２に記載のカートリッジ。
【請求項４】
前記水平線と、前記帯電ローラと前記当接領域の中央部との接点と前記帯電ローラの回転軸中心とを結ぶ仮想線と、がなす角度αが、０°＜α＜９０°であることを特徴とする請求項３に記載のカートリッジ。
【請求項５】
前記角度αが４５°であることを特徴とする請求項４に記載のカートリッジ。
【請求項６】
前記装置本体に装着された状態における前記帯電ローラの回転軸に垂直な断面において、前記像担持体の回転軸中心を通る水平線と、前記第１接線と前記像担持体の表面との接点と前記像担持体の回転軸中心とを結ぶ仮想線と、がなす角度βが、０°＜β＜９０°であることを特徴とする請求項１〜５のいずれか１項に記載のカートリッジ。
【請求項７】
前記角度βが３０°であることを特徴とする請求項６に記載のカートリッジ。
【請求項８】
前記装置本体に装着された状態における前記帯電ローラの回転軸に垂直な断面において、前記第２端部が、前記帯電ローラの最頂部よりも下方にあることを特徴とする請求項１〜７のいずれか１項に記載のカートリッジ。
【請求項９】
前記装置本体に装着された状態における前記帯電ローラの回転軸に垂直な断面において、前記帯電ローラと前記像担持体との接触部が、前記帯電ローラの回転軸中心を通る水平線よりも鉛直方向下方にあることを特徴とする請求項１〜８のいずれか１項に記載のカートリッジ。
【請求項１０】
前記装置本体に装着された状態における前記帯電ローラの回転軸に垂直な断面において、前記当接領域と、前記帯電ローラと前記像担持体との接触部と、は、前記帯電ローラの回転軸中心を通る鉛直線を挟んで互いに反対側にあることを特徴とする請求項１〜９のいずれか１項に記載のカートリッジ。
【請求項１１】
前記装置本体に装着された状態における前記帯電ローラの回転軸に垂直な断面において、前記帯電ローラの回転軸を原点とし、鉛直方向をＹ軸とし、水平方向をＸ軸としたとき、前記帯電ローラと前記像担持体との接触部は、第４象限に配置されていることを特徴とする請求項１〜１０のいずれか１項に記載のカートリッジ。
【請求項１２】
被転写体へ転写されずに前記像担持体に残留したトナーを、前記像担持体に形成された静電潜像を現像する現像装置によって回収する画像形成装置に着脱可能であることを特徴とする請求項１〜１１のいずれか１項に記載のカートリッジ。
【請求項１３】
前記清掃部材は、前記帯電ローラに付着したトナーと摺擦することで、前記トナーが前記帯電ローラから前記像担持体を介して前記現像装置に回収されるように、前記トナーの極性を変えるための清掃部材であることを特徴とする請求項１２に記載のカートリッジ。
【請求項１４】
前記清掃部材は、前記帯電ローラと同電位となるべく前記装置本体の電源から電圧が印加されることを特徴とする請求項１〜１３のいずれか１項に記載のカートリッジ。
【請求項１５】
画像形成装置の装置本体に着脱可能なカートリッジであって、
回転可能な像担持体と、
前記像担持体と接触して帯電部を形成し、前記帯電部において前記像担持体の表面を帯電する帯電ローラと、
前記帯電ローラを清掃する清掃部材と、
前記像担持体と接触して転写部を形成する転写部材と、を備え、
前記清掃部材は、前記帯電ローラの表面に少なくとも一部が当接して当接領域を有するブラシ部を有し、
前記清掃部材は、画像形成時に、前記ブラシ部に付着したトナーが、前記像担持体の回転方向において前記帯電部の上流側で前記転写部の下流側の前記像担持体の表面に落下する位置に、前記ブラシ部が常に配置されていることを特徴とするカートリッジ。
【請求項１６】
画像形成装置の装置本体に着脱可能なカートリッジであって、
回転可能な像担持体と、
前記像担持体と接触して帯電部を形成し、前記帯電部において前記像担持体の表面を帯電する帯電ローラと、
前記帯電ローラを清掃する清掃部材と、
前記像担持体と接触して転写部を形成する転写部材と、を備え、
前記清掃部材は、前記帯電ローラの表面に少なくとも一部が当接して当接領域を有するブラシ部を有し、
前記清掃部材は、前記カートリッジが前記装置本体に装着されたときに、前記ブラシ部に付着したトナーが、前記像担持体の回転方向において前記帯電部の上流側で前記転写部の下流側の前記像担持体の表面に落下する位置に、前記ブラシ部が常に配置されていることを特徴とするカートリッジ。
【手続補正２】
【補正対象書類名】明細書
【補正対象項目名】発明の名称
【補正方法】変更
【補正の内容】
【発明の名称】カートリッジ
【手続補正３】
【補正対象書類名】明細書
【補正対象項目名】０００９
【補正方法】変更
【補正の内容】
【０００９】
上記目的を達成するため、本発明におけるカートリッジは、
画像形成装置の装置本体に着脱可能なカートリッジであって、
回転可能な像担持体と、
前記像担持体に接触し、前記像担持体の表面を帯電する帯電ローラと、
前記帯電ローラを清掃する清掃部材と、を備え、
前記清掃部材は、前記帯電ローラの表面に少なくとも一部が当接して当接領域を有するブラシ部を有し、
前記カートリッジが前記装置本体に装着された状態における前記像担持体の回転軸線と略直交する断面において、前記ブラシ部の前記当接領域のうち、前記帯電ローラの回転方向において下流側の端部を第１端部とし、
前記ブラシ部の前記当接領域のうち、前記帯電ローラの回転方向において上流側の端部を第２端部とし、
前記像担持体の接線のうち、前記像担持体上に位置する前記像担持体の接線の接点から前記第１端部に向かう方向と、前記像担持体が回転しているときの前記像担持体の速度ベクトルの方向と、が一致する接線を第１接線とした場合において、
前記第１接線と前記像担持体の表面との接点が、前記像担持体の中心を通る水平線よりも鉛直方向上方にあり、前記第２端部は、前記第１端部よりも鉛直方向上方にあり、
前記帯電ローラの回転軸を原点としたときの鉛直方向をＹ軸方向とし、水平方向をＸ軸方向とする第２象限に、前記ブラシ部の全領域が常に配置されるように構成されることを特徴とする。
また、上記目的を達成するため、本発明におけるカートリッジは、
画像形成装置の装置本体に着脱可能なカートリッジであって、
回転可能な像担持体と、
前記像担持体と接触して帯電部を形成し、前記帯電部において前記像担持体の表面を帯電する帯電ローラと、
前記帯電ローラを清掃する清掃部材と、
前記像担持体と接触して転写部を形成する転写部材と、を備え、
前記清掃部材は、前記帯電ローラの表面に少なくとも一部が当接して当接領域を有するブラシ部を有し、
前記清掃部材は、画像形成時に、前記ブラシ部に付着したトナーが、前記像担持体の回転方向において前記帯電部の上流側で前記転写部の下流側の前記像担持体の表面に落下する位置に、前記ブラシ部が常に配置されていることを特徴とする。
また、上記目的を達成するため、本発明におけるカートリッジは、
画像形成装置の装置本体に着脱可能なカートリッジであって、
回転可能な像担持体と、
前記像担持体と接触して帯電部を形成し、前記帯電部において前記像担持体の表面を帯電する帯電ローラと、
前記帯電ローラを清掃する清掃部材と、
前記像担持体と接触して転写部を形成する転写部材と、を備え、
前記清掃部材は、前記帯電ローラの表面に少なくとも一部が当接して当接領域を有するブラシ部を有し、
前記清掃部材は、前記カートリッジが前記装置本体に装着されたときに、前記ブラシ部に付着したトナーが、前記像担持体の回転方向において前記帯電部の上流側で前記転写部の下流側の前記像担持体の表面に落下する位置に、前記ブラシ部が常に配置されていることを特徴とする。